(57)【要約】【課題】消耗品の残量を効率的に管理し、消耗品に関する情報を適宜、取得できる残量管理システムを提供すること。【解決手段】複数の電子はかり１は、無線ネットワークを介して、計測サーバに２接続され、電子はかり１は、被重量計測物の重量値を計測する重量センサ１１と、被重量計測物が電子はかり１を介して載置されたことを検知する載置センサ１２と、複数の電子はかり１ごとの固有識別子を記憶する識別子記憶部１３と、重量センサ１１により計測された重量値及び、識別子記憶部１３に記憶された固有識別子を前記載置センサ１２により載置が検知されたタイミングでその都度、無線送信する無線送信部１４と、を備え、計測サーバ２は、電子はかり１により無線送信された重量値及び固有識別子を受信する無線受信部２１と、無線受信部２１より、受信した複数の重量値を、固有識別子ごとに履歴情報として管理記憶する記憶部２３と、を備えるようにした。【選択図】図１
2010231454.tif 000002
【特許請求の範囲】
【請求項１】
複数の電子はかりは、無線ネットワークを介して、計測サーバに接続され、
前記電子はかりは、消耗品である被重量計測物と対応して用いられ、
被重量計測物の重量値を計測する重量センサと、
被重量計測物が電子はかりを介して載置されたことを検知する載置センサと、
複数の電子はかりごとに割り振られた固有識別子を記憶する識別子記憶部と、
前記重量センサにより計測された重量値及び、識別子記憶部に記憶された固有識別子を前記載置センサにより載置が検知されたタイミングでその都度、無線送信する無線送信部と、を備え、
前記計測サーバは、
前記電子はかりにより無線送信された重量値及び固有識別子を受信する無線受信部と、
前記無線受信部より、受信した複数の重量値を受信した順序と関連付けて、固有識別子ごとに履歴情報として管理記憶する記憶部と、を備えることを特徴とする残量管理システム。
【請求項２】
計測サーバは、外部に設けられた端末装置からの問い合わせ通知に応じて、履歴情報を返信することを特徴とした請求項１記載の残量管理システム。
【請求項３】
計測サーバは、前記履歴情報に記憶された重量値から被重量計測物の一回あたりの平均減少重量を算出し、当該平均減少重量から、所定回数分の減少重量に対応する閾値重量を算出し、電子はかりから受信した重量値が前記閾値重量以下になれば、報知部より報知することを特徴とした請求項１記載の残量管理システム。
【請求項４】
計測サーバは、時刻検知部を備え、
重量値を受信した時刻を履歴情報に加えて記憶部に記憶し、
履歴情報に基づき、被重量計測物一回あたりの平均減少重量及び、平均受信間隔を算出し、
電子はかりから受信した重量値と平均減少重量と平均受信間隔とから消費終了予測期間を算出し、
消費終了予測期間があらかじめ定められた所定の閾値期間以下になれば、報知部より報知することを特徴とした請求項１記載の残量管理システム。
【請求項５】
電子はかりと被重量計測物とが一体として使用されるように、電子はかりは、被重量計測物を電子はかりに保持する保持部を備えることを特徴とする請求項１記載の残量管理システム。
【請求項６】
計測サーバは、電子はかりから受信した重量値が履歴情報に記憶された最新の重量値以上であれば、
報知部により、誤った被重量計測物が電子はかりに載置された旨を報知することを特徴とする請求項１記載の残量管理システム。
【請求項７】
電子はかりは、被重量計測物の商品コードを読み取るバーコードリーダと、
前記バーコードリーダにより読み取られた商品コードを記憶する商品コード記憶部と、を備え、
前記重量センサにより計測された重量値及び識別子記憶部に記憶された固有識別子に加えて商品コード記憶部に記憶された商品コードを無線送信部により無線送信し、
計測サーバは、無線受信部により、受信した固有識別子及び重量値に加え商品コードを対応付けて記憶部に記憶し、
電子はかりから商品コード、重量値及び固有識別子を受信すれば、固有識別子に基づいて当該電子はかりを特定し、当該受信した商品コードと、当該電子はかりから当該商品コードを受信する以前に受信し前記記憶部に記憶されている最新の商品コードとを比較し、商品コードが異なる場合は、報知部により報知することを特徴とした請求項１記載の残量管理システム。
【発明の詳細な説明】
【技術分野】
【０００１】
本願発明は、日用消耗品の残量を管理するための残量管理システムに関するものである。
【背景技術】
【０００２】
従来から、特開２００２−２４５３０４号公報（特許文献１）に示されるように、消耗品の管理や発注を行うことができる消耗品発注システムは知られている。この消耗品発注システムは、消耗品を使用する機器を有するユーザ側と、消耗品の製造、仕入れを行うベンダー側とがネットワークで接続され、前記機器は、消耗品の残量を電子情報として持つ残量情報保持手段と、消耗品の残量が所定の設定値になったことを判定する残量判定手段と、消耗品の残量が所定の設定値になった場合、ネットワークを通じて所定のアドレスに自動的に発注を行う発注手段とを備えている。
【０００３】
この消耗品発注システムによれば、機器が消耗品を自動的に発注するので、ユーザの負担が無くなり、また、消耗品切れによる機器の停止を回避することができるとされている。
【先行技術文献】
【特許文献】
【０００４】
【特許文献１】特開２００２−２４５３０４号公報
【発明の概要】
【発明が解決しようとする課題】
【０００５】
しかしながら、上記従来例である消耗品発注システムにあっては、機器が消耗品の残量を管理し、発注を行うので、消耗品は機器で使用するものに限られ、消耗品が例えば、調味料等であり、人が使用するものである場合は、消耗品の残量を管理することは不可能であった。また、上記従来例は消耗品が所定の設定値になったことを残量判定手段により判定するものであるが、消耗品が所定の設定値になった場合にのみ、ユーザは消耗品の残量が所定の設定値となったことを知りえるものであり、この場合以外にユーザは、消耗品の使用履歴や残量の減り具合といった情報を知ることができず、消耗品の交換のタイミングを予測することが困難なものであった。
【０００６】
本願発明は、上記背景技術に鑑みて発明されたものであり、その課題は消耗品の残量を効率的に管理し、消耗品に関する情報を適宜、取得できる残量管理システムを提供することである。
【課題を解決するための手段】
【０００７】
上記課題を解決するために、本願請求項１記載の発明では、複数の電子はかりは、無線ネットワークを介して、計測サーバに接続され、前記電子はかりは、消耗品である被重量計測物と対応して用いられ、被重量計測物の重量値を計測する重量センサと、被重量計測物が電子はかりを介して載置されたことを検知する載置センサと、複数の電子はかりごとに割り振られた固有識別子を記憶する識別子記憶部と、前記重量センサにより計測された重量値及び、識別子記憶部に記憶された固有識別子を前記載置センサにより載置が検知されたタイミングでその都度、無線送信する無線送信部と、を備え、前記計測サーバは、前記電子はかりにより無線送信された重量値及び固有識別子を受信する無線受信部と、前記無線受信部より、受信した複数の重量値を受信した順序と関連付けて、固有識別子ごとに履歴情報として管理記憶する記憶部と、を備えることを特徴としている。
【０００８】
又、本願請求項２記載の発明では、上記請求項１記載の残量管理システムにおいて、計測サーバは、外部に設けられた端末装置からの問い合わせ通知に応じて、履歴情報を返信することを特徴としている。
【０００９】
又、本願請求項３記載の発明では、上記請求項１記載の残量管理システムにおいて計測サーバは、前記履歴情報に記憶された重量値から被重量計測物の一回あたりの平均減少重量を算出し、当該平均減少重量から、所定回数分の減少重量に対応する閾値重量を算出し、電子はかりから受信した重量値が前記閾値重量以下になれば、報知部より報知することを特徴としている。
【００１０】
又、本願請求項４記載の発明では、上記請求項１記載の残量管理システムにおいて、計測サーバは、時刻検知部を備え、重量値を受信した時刻を履歴情報に加えて記憶部に記憶し、履歴情報に基づき、被重量計測物一回あたりの平均減少重量及び、平均受信間隔を算出し、電子はかりから受信した重量値と平均減少重量と平均受信間隔とから消費終了予測期間を算出し、消費終了予測期間があらかじめ定められた所定の閾値期間以下になれば、報知部より報知することを特徴としている。
【００１１】
又、本願請求項５記載の発明では、上記請求項１記載の残量管理システムにおいて、電子はかりと被重量計測物とが一体として使用されるように、電子はかりは、被重量計測物を電子はかりに保持する保持部を備えることを特徴としている。
【００１２】
又、本願請求項６記載の発明では、上記請求項１記載の残量管理システムにおいて、計測サーバは、電子はかりから受信した重量値が履歴情報に記憶された最新の重量値以上であれば、報知部により、誤った被重量計測物が電子はかりに載置された旨を報知することを特徴としている。
【００１３】
又、本願請求項７記載の発明では、上記請求項１記載の残量管理システムにおいて、電子はかりは、被重量計測物の商品コードを読み取るバーコードリーダと、前記バーコードリーダにより読み取られた商品コードを記憶する商品コード記憶部と、を備え、前記重量センサにより計測された重量値及び識別子記憶部に記憶された固有識別子に加えて商品コード記憶部に記憶された商品コードを無線送信部により無線送信し、計測サーバは、無線受信部により、受信した固有識別子及び重量値に加え商品コードを対応付けて記憶部に記憶し、電子はかりから商品コード、重量値及び固有識別子を受信すれば、固有識別子に基づいて当該電子はかりを特定し、当該受信した商品コードと、当該電子はかりから当該商品コードを受信する以前に受信し前記記憶部に記憶されている最新の商品コードとを比較し、商品コードが異なる場合は、報知部により報知することを特徴としている。
【発明の効果】
【００１４】
本願請求項１記載の発明の消耗品残量管理システムにおいては、複数の電子はかりは、無線ネットワークを介して、計測サーバに接続され、前記電子はかりは、消耗品である被重量計測物と対応して用いられ、被重量計測物の重量値を計測する重量センサと、被重量計測物が電子はかりを介して載置されたことを検知する載置センサと、複数の電子はかりごとに割り振られた固有識別子を記憶する識別子記憶部と、前記重量センサにより計測された重量値及び、識別子記憶部に記憶された固有識別子を前記載置センサにより載置が検知されたタイミングでその都度、無線送信する無線送信部と、を備え、前記計測サーバは、前記電子はかりにより無線送信された重量値及び固有識別子を受信する無線受信部と、前記無線受信部より、受信した複数の重量値を受信した順序と関連付けて、固有識別子ごとに履歴情報として管理記憶する記憶部と、を備えるので、日用消耗品の残量を効率的に管理することができ、ユーザは、消耗品である被重量計測物の履歴情報により被重量計測物の重量値や重量値の減り具合といった情報を計測サーバから取得することにより、知ることができ、被重量計測物の交換のタイミングを予測することがきる。
【００１５】
又、本願請求項２記載の発明の残量管理システムにおいては、特に、計測サーバは、端末装置からの問い合わせに応じて、履歴情報を返信するので、ユーザは必要なときに履歴情報を参照することができる。
【００１６】
又、本願請求項３記載の発明の残量管理システムにおいては、特に、計測サーバは、前記履歴情報に記憶された重量値から被重量計測物の一回あたりの平均減少重量を算出し、当該平均減少重量から、所定回数分の減少重量に対応する閾値重量を算出し、電子はかりから受信した重量値が前記閾値重量以下になれば、報知部より報知するので、被重量計測物の重量値が所定回数分の減少重量になった場合にユーザに報知することができる。
【００１７】
又、本願請求項４記載の発明の残量管理システムにおいては、特に、計測サーバは、時刻検知部を備え、重量値を受信した時刻を履歴情報に加えて記憶部に記憶し、履歴情報に基づき、被重量計測物の平均減少重量及び、平均受信間隔を算出し、電子はかりから受信した重量値と平均減少重量と平均受信間隔とから消費終了予測期間を算出し、消費終了予測期間があらかじめ定められた所定の閾値期間以下になれば、報知部より報知するので、ユーザに被重量計測物の消費終了が予測される一定期間前に報知することができる。
【００１８】
又、本願請求項５記載の発明の残量管理システムにおいては、特に、電子はかりと被重量計測物とが一体として使用されるように、電子はかりは、被重量計測物を電子はかりに保持する保持部を備えるので、電子はかりと被重量計測物とが一体として使用され、誤った被重量計測物が電子はかりと使用されることを防ぐことができる。
【００１９】
又、本願請求項６記載の発明の残量管理システムにおいては、特に、計測サーバは、電子はかりから受信した重量値が履歴情報に記憶された最新の重量値以上であれば、報知部により、誤った被重量計測物が電子はかりに載置された旨を報知するので、誤った被重量計測物が電子はかり上に載置されることを防ぐことができる。
【００２０】
又、本願請求項７記載の発明の残量管理システムにおいては、特に、電子はかりは、被重量計測物の商品コードを読み取るバーコードリーダと、前記バーコードリーダにより読み取られた商品コードを記憶する商品コード記憶部と、を備え、前記重量センサにより計測された重量値及び識別子記憶部に記憶された固有識別子に加えて商品コード記憶部に記憶された商品コードを無線送信部により無線送信し、計測サーバは、無線受信部により、受信した固有識別子及び重量値に加え商品コードを対応付けて記憶部に記憶し、電子はかりから商品コードを受信すれば、当該受信した商品コードと前記記憶部に記憶された商品コードとを固有識別子により対応付けて比較し、商品コードが異なる場合は、報知部により報知するので、商品コードが異なる誤った被重量計測物が電子はかり上に載置されることを防ぐことができる。
【図面の簡単な説明】
【００２１】
【図１】本願発明の第一の実施形態である残量管理システムの全体構成を示すシステム構成図。
【図２】本願発明の第一の実施形態の電子はかりの構成を示すブロック図。
【図３】本願発明の第一の実施形態の電子はかりを説明するための断面図および上面図。
【図４】本願発明の第一の実施形態の計測サーバの構成を示すブロック図。
【図５】本願発明の第一の実施形態の計測サーバの記憶部に記憶されている履歴情報テーブルおよび商品マスターテーブル示す説明図。
【図６】本願発明の第二の実施形態である残量管理システムの全体構成を示すシステム構成図。
【図７】本願発明の第二の実施形態の電子はかりの構成を示すブロック図。
【図８】本願発明の第二の実施形態の計測サーバの構成を示すブロック図。
【発明を実施するための形態】
【００２２】
図１は本願発明の第一の実施形態である残量管理システムの全体構成を示すシステム構成図である。本実施形態の残量管理システムは、電子はかり１と計測サーバ２とで概略構成され、電子はかり１と計測サーバ２は無線ネットワークを介して接続されており、計測サーバ２はインターネット３と接続可能であり、インターネット３を介して、携帯電話やパソコン等の端末装置４と接続されている。
電子はかり１は、図２、３に示されるように、消耗品である被重量計測物をその上に載置して使用されるものであり、消耗品である被重量計測物が消耗され交換されるなどの特殊な場合を除き、電子はかり１には対応する被重量計測物が載置され使用される。
電子はかり１は、重量センサ１１と、載置センサ１２と、識別子記憶部１３と、無線送信部１４と、処理部１５と、駆動用電源（図示せず）と、を備えている。重量センサ１１は、たとえば、歪みゲージなどにより電子はかり１上に載置された被重量計測物の重量値を計測するものであり電子はかり１上に被重量計測物が載置される都度に被重量計測物の重量を計測し、処理部１５にその重量値を送信する。
載置センサ１２は、たとえばマイクロスイッチなどにより電子はかり１上に被重量計測物が載置されたことを検知するものであり、また、電子はかり１から被重量計測物が持ち上げられたことを検知することができる。載置センサ１２は、電子はかり１上に被重量計測物が載置されたことを検知すればその都度、載置検知情報を処理部１５に送信する。
識別子記憶部１３は、電子はかり１ごとに割り振られた固有識別子を記憶するものであり、無線送信部１４は、重量センサ１１により計測された重量値及び識別子記憶部１３に記憶された固有識別子を計測サーバ２へ送信するものである。
処理部２５は、載置センサ１２から載置検知情報を受信すると、その都度、重量センサ１１から受信した重量値及び識別子記憶部１３に記憶された固有識別子を、無線送信部１４を介して、計測サーバ２へ送信するものである。なお、処理部２５は、載置センサ１２から載置検知方法を受信した場合に計測サーバ２へ重量値及び固有識別子を送信する構成となっているので、駆動用電源の送信用の電源を長持ちさせることができる。
計測サーバ２は、図４に示されるように、無線受信部２１と、時刻検知部２２と、記憶部２３と、通信部２４と、処理部２５とを備える。処理部２５は、無線受信部２１により、電子はかり１から送信された、重量値及び固有識別子を受信すれば、その都度、当該受信した受信時刻を、時刻検知部２２により取得し、受信した固有識別子ごとに、当該受信した重量値及び当該時刻検知部２２により取得した受信時刻を対応付けて、記憶部２３の履歴情報テーブルに記憶する。履歴情報テーブルは、図５（ａ）に示されるように、これらの、電子はかり１から受信した、固有識別子、重量値及び時刻検知部２２により取得した受信時刻の他、減少重量及び受信間隔といった情報を記憶するための列が設けられたテーブルとなっており、減少重量は、重量値から、受信間隔は受信時刻から処理部２５により算出され、当該算出された結果が記憶される。すなわち、処理部２５は、重量値を受信すると、当該受信した重量値より、一つ前に受信し履歴情報テーブルに記憶されている重量値を履歴情報テーブルから取得し、一つ前に受信した重量値から当該受信した重量値を減算することにより減少重量を算出し、この減少重量を履歴情報テーブルの減少重量の列に記憶する。また、処理部２５は、受信間隔についても同様に、時刻検知部２２により受信時刻を取得すると、一つ前に取得し履歴情報テーブルに記憶されている受信時刻を履歴情報テーブルから取得し、一つ前に取得した受信時刻から当該受信時刻を減算することにより受信間隔を算出し、この受信間隔を記憶する。
また、記憶部２３には履歴情報テーブルのほか、商品マスターテーブルが記憶されており、商品マスターテーブルは、履歴情報テーブルに記憶された情報に基づいて処理部２５によって作成される。商品マスターテーブルには、図５（ｂ）に示されるように、固有識別子、利用開始時刻、初期重量値、平均減少重量、平均受信間隔、閾値重量、消費終了予測期間及び閾値期間が固有識別子ごとに記憶されている。処理部２５は、電子はかり１から受信した最初の重量値及び受信時刻をそれぞれ、初期重量値、利用開始時刻の列に記憶し、また、処理部２５は、履歴情報テーブルに記憶されている減少重量の平均値を算出し、この算出結果を平均減少重量の列に記憶する。同様に、処理部２５は、履歴情報テーブルに記憶されている受信間隔の平均値を算出し、この算出結果を平均受信間隔の列に記憶する。ここで、平均減少重量及び平均受信間隔は、履歴情報テーブルの減少重量及び受信間隔が新たに記憶される度に算出され、算出結果が商品マスターテーブルに更新して記憶される。閾値重量は、平均減少重量から算出されるものであって、所定回数と平均減少重量とを積算することにより閾値重量が算出され当該閾値重量が記憶される。ここで、所定回数とは、ユーザが設定する任意の回数であり、ユーザは端末装置４を用いて所定回数を入力し、この入力された所定回数が計測サーバ２に送信され、後述する計測サーバ２の通信部２４が受信することにより、処理部２５が取得することができる。消費終了予測期間は、履歴情報テーブルに記憶された最新の重量値、平均減少重量、平均受信間隔から算出され記憶されるものである。算出の方法は任意であるが、例えば、最新の重量値を平均減少重量で除算することにより結果を算出し、さらにこの算出結果に平均受信間隔を積算することにより算出される。ここで、消費終了予測期間は、履歴情報テーブルの重量値が新たに記憶される度に算出され、算出結果が商品マスターテーブルに更新して記憶される。閾値期間は、ユーザが設定する任意の期間であり、通常ユーザは、消耗品である被重量計測物を補充するために要する時間を設定する。また、閾値期間は、ユーザが端末装置４を用いて閾値期間を入力し、当該入力された閾値期間が、後述の計測サーバ２の通信部２４により受信され、処理部２５により記憶部２３の商品マスターテーブルに記憶される。
通信部２４は、インターネット３を介して、接続された端末装置４との通信を行うものであって、端末装置４からの問い合わせ通信を受信したり、当該問い合わせ通信に対する返信を行う機能を備えている。また、通信部２４は、電子はかり１の固有識別子と当該固有識別子の電子はかり１に関連する情報を送信すべき端末装置４アドレスとを対応付けた端末装置対応表を記憶しており、電子はかり１に関する情報をいずれの端末装置４に送信するか当該対応表を参照することにより特定することができる。
処理部２５は、端末装置４から、計測サーバ２へ履歴情報テーブルや、商品マスターテーブルの問い合わせ通信が送信されると、当該通信を、通信部２４を介して受信し、問い合わせ通信を解析し、適宜問い合わせ通信に対応した情報を記憶部２３の履歴情報テーブルまたは、商品マスターテーブルから取得し、当該情報を通信部２４を介して端末装置４へ返信する。
また、処理部２５は、電子はかり１から最新の重量値を受信すれば、当該重量値と商品マスターテーブルの閾値重量とを比較し、当該重量値が閾値重量以下であれば、比較結果情報を通信部２４へ送信する、比較結果情報を受信した通信部２４は、送信すべき端末装置４を端末装置対応表から固有識別子を検索キーとして検索し、端末装置４アドレスを特定し、当該アドレスに比較結果情報を送信する。また、処理部２５は、消費終了予測期間と閾値期間とを監視・比較しておき消費終了予測期間が閾値期間以下になった場合も同様に、比較結果情報を通信部２４へ送信し、当該比較結果情報を受信した通信部２４は、送信すべき端末装置４を端末装置対応表から固有識別子を検索キーとして検索し、端末装置４アドレスを特定し、当該アドレスに比較結果情報を送信する。
次に本実施形態の残量管理システムの利用開始時の動作について説明する。電子はかり１の上に被重量計測物が初めて載置されると、電子はかり１の載置センサ１２は被重量計測物が載置されたことを検知し載置検知情報を処理部１５に送信する。また、重量センサ１１も被重量計測物の重量値を計測し、重量値を処理部１５に送信する。処理部１５は、載置検知情報と重量値とを共に受信すると、識別子記憶部１３から固有識別子を取得し、無線送信部１４を介して、計測サーバ２へ固有識別子及び重量値を送信する。送信後、処理部１５は載置センサ１２により、被重量計測物が持ち上げられたことを検知するまでその動作を停止する。
計測サーバ２の処理部２５は、無線受信部２１を介して固有識別子及び重量値を受信し、この受信した受信時刻を時刻検知部２２より取得する。計測サーバ２の処理部２５は、受信した固有識別子を検索キーとして記憶部２３における履歴情報テーブルが存在するか検索するが、当該電子はかり１からの通信は初めてなので、履歴情報テーブルは記憶部２３に記憶されておらず、新たな履歴情報テーブルが作成される。作成された履歴情報テーブルには、計測サーバ２の処理部２５により、固有識別子、重量値及び受信時刻が記憶される。また、計測サーバ２の処理部２５は、商品マスターテーブルについても、同様に受信した固有識別子を検索キーとして検索し、記憶部２３に記憶されていない場合は、商品マスターテーブルを作成する。そして、商品マスターテーブルに固有識別子の列に受信した固有識別子が、利用開始時刻の列に受信時刻が、初期重量の列に受信した重量値が記憶される。
次に、本実施形態の残量管理システムの継続利用時の動作について説明する。ユーザが、被重量計測物を電子はかり１から持ち上げると載置センサ１２は、被重量計測物が持ち上げられたことを検知し、起動する。ユーザが被重量計測物を使用し、再び被重量計測物を電子はかり１上に載置すると載置センサ１２は、載置されたことを検知して、載置検知情報を処理部１５に送信し、重量センサ１１は被重量計測物の重量値を計測し、計測した重量値を処理部１５に送信する。処理部１５は、載置センサ１２からの載置検知情報及び、重量センサ１１からの重量値を受信すると、識別子記憶部１３から固有識別子を取得し、固有識別子及び重量値を無線送信部１４を介して計測サーバ２へ送信する。
計測サーバ２の処理部２５は、固有識別子及び重量値を受信し、固有識別子を検索キーとして、記憶部２３に履歴情報テーブルが記憶されているか検索する。記憶部２３には、当該固有識別子に関する履歴情報テーブルが記憶されており、処理部２５は、当該履歴情報テーブルに固有識別子、受信した重量値及び受信時刻を追加記憶する。さらに処理部２５は、前回、電子はかり１から受信し履歴情報テーブルに記憶されている重量値から今回受信した重量値を減算し、この結果を減少重量として履歴情報テーブルに記憶する。また、処理部２５は、前回、時刻検知部２２により取得し履歴情報テーブルに記憶されている受信時刻から、今回取得した受信時刻を減算することにより受信間隔を算出し、この結果を受信間隔に記憶する。
また、計測サーバ２の処理部２５は、受信した固有識別子を検索キーとして商品マスターテーブルを検索する。記憶部２３には、当該固有識別子に関する商品マスターテーブルが記憶されており、処理部２５は、履歴情報テーブルから減少重量を取得し、減少重量から平均減少重量を算出し、算出結果を商品マスターテーブルの平均減少重量の列に記憶する。また、平均受信間隔についても、同様に履歴情報テーブルから受信間隔を取得し、受信間隔から平均受信間隔を算出し、算出結果を商品マスターテーブルの平均受信間隔の列に記憶する。さらに、処理部２５によって、商品マスターテーブルの平均減少重量から閾値重量が算出され、算出結果が商品マスターテーブルの閾値重量の列に記憶され、重量値、平均減少重量及び平均受信間隔から消費終了予測期間が算出され、算出結果が商品マスターテーブルの消費予測期間の列に記憶される。これらの、平均減少重量、平均受信間隔、閾値重量、消費終了予測期間は、履歴情報テーブルが更新される度に算出され算出結果が商品マスターテーブルにそれぞれ更新記憶される。
ここで、計測サーバ２の処理部２５が無線受信部２１を介して電子はかり１から、固有識別子および重量値を受信し、固有識別子に基づいて記憶部２３に記憶されている商品マスターテーブルを特定し、当該重量値と商品マスターテーブルの閾値重量を比較した結果、当該重量が閾値重量以下であれば、比較結果情報は通信部２４に送信され、通信部２４は比較結果情報を送信すべき端末装置４を端末装置対応表から固有識別子を検索キーとして検索し、端末装置４のアドレスを特定し、当該アドレスに比較結果情報を送信する。また、計測サーバ２の処理部２５は、電子はかり１から受信した重量値を、履歴情報テーブルに記憶された最新の重量値と比較し、受信した重量値が履歴情報テーブルに記憶された最新の重量値以上であれば、比較結果情報に誤った被重量計測物が載置されている旨の情報を加え通信部２４に送信し、通信部２４が、この比較結果情報を端末装置４に送信する構成としてもよい。
したがって、本実施形態の残量管理システムによれば、被重量計測物重量が所定回数分の減少重量になった場合にユーザに報知されユーザは、適宜、被重量計測物の補充を行うことができる。また、受信した重量値が履歴情報テーブルに記憶された最新の重量値以上であれば、ユーザに報知するので、誤った被重量計測物が電子はかり１上に載置されることを防ぐことができる。
また、ここで、計測サーバ２の処理部２５は、消費終了予測期間と閾値期間とを比較監視しているが、消費終了予測期間が閾値期間以下になった場合も同様に計測サーバ２の処理部２５は比較結果情報を通信部２４に送信し、通信部２４は比較結果情報を送信すべき端末装置４を端末装置対応表から固有識別子を検索キーとして検索し、端末装置４のアドレスを特定し、当該アドレスに比較結果情報を送信する。
したがって、本実施形態の残量管理システムによれば、ユーザに被重量計測物の消費終了が予測される一定期間前に報知することができる。
ところでユーザは、端末装置４を用いて、計測サーバ２の記憶部２３に記憶された履歴情報テーブルおよび商品マスターテーブルの情報を確認することができる。ユーザが端末装置４を操作することにより計測サーバ２への履歴情報テーブルまたは商品マスターテーブルの問い合わせ通信を作成し、送信すると、当該問い合わせ通信は、計測サーバ２の通信部２４を介して処理部２５が受信し、処理部２５が問い合わせ通信を処理部２５が解析し、適宜問い合わせ通信に対応した情報を記憶部２３の履歴情報テーブルまたは、商品マスターテーブルから取得し、当該取得した情報を通信部２４を介して端末装置４に返信する。
したがって、ユーザは、消耗品である被重量計測物の履歴情報テーブルおよび商品マスターテーブルに記憶された情報を必要なときに取得することができ、日用消耗品の残量を効率的に管理することができる。
次に本願発明の第二の実施形態である残量管理システムについて説明する。なお、ここでは、上記第一の実施形態と相違する事項についてのみ説明し、その他の事項（構成、作用効果等）については、上記第一の実施形態と同様であるのでその説明を省略する。図６は第二の実施形態の全体構成を示すシステム構成図である。本実施形態では、計測サーバ２がインターネット３を介して商品情報提供サーバ５に通信可能な構成となっている。商品情報提供サーバ５は、内部に記憶部手段を備え、この記憶手段には商品コードごとにこの商品コードに対応する商品名や製造メーカ名などの商品コード情報を対応付けている対応表が記憶されており、インターネット３を介して、商品コードを受信すれば、その応答として当該商品コードの商品名や製造メーカ名などの商品コード関連情報を返信する機能を備えている。
本実施形態の電子はかり１は、図７に示すように第一の実施形態において説明した構成に加え、バーコードリーダ１６と商品コード記憶部１７を備えている。バーコードリーダ１６は被重量計測物に記載されている商品コードを読み取り、当該読み取った商品コードを商品コード記憶部１７に記憶する。バーコードリーダ１６により商品コードを読み取るタイミングは任意に設定することができる構成となっている。例えば、一定間隔ごとに商品コードを読み取り商品コード記憶部１７に記憶する構成としてもよいし、載置センサ１２により被重量計測物が電子はかり１に載置されたことを検知したタイミングで読み取る構成としてもよい。商品コード記憶部１７に記憶された商品コードは、電子はかり１が計測サーバ２に固有識別子および重量値を送信する際に、固有識別子および重量値に加えて送信される。
本実施形態の計測サーバ２は、図８に示すように第一の実施形態において説明した構成に加え、商品情報取得部２６を備えている。計測サーバ２の処理部２５は無線受信部２１を介して、固有識別子、重量値および商品コードを受信すれば、当該商品コードを商品情報取得部２６に送り、商品情報取得部２６は、商品コードをインターネット３を介して商品情報提供サーバ５へ送信し、その応答として、当該商品コードの商品名や、製造メーカ名などの商品コード関連情報を受信する。この商品コード関連情報および商品コードは、処理部２５に送られ、処理部２５は、記憶部２３における商品マスターテーブルに固有識別子と対応付けて商品コード関連情報および商品コードを記憶する。
記憶された商品コード関連情報は、端末装置４からの被重量計測物に関する問い合わせ通信に対する応答として端末装置４に返信される。また、電子はかり１から受信した重量値が閾値重量値以下である場合や、消費終了予測期間が閾値期間以下になった場合において、端末装置４への比較結果情報を送信する際に、比較結果情報に加えて送信される。
したがって、ユーザは商品名や、製造メーカ名などの商品コード関連情報を端末装置４において確認することができる。
また、計測サーバ２の処理部２５は、電子はかり１から商品コード、重量値及び固有識別子を受信すれば、固有識別子に基づいて記憶部２３に記憶されている商品マスターテーブルを特定し、当該受信した商品コードと、当該電子はかり１から当該商品コードを受信する以前に受信し記憶部２３の商品マスターテーブルに記憶されている最新の商品コードとを比較し、商品コードが異なる場合は、比較結果情報に誤った被重量計測物が載置されている旨の情報を加え通信部２４に送信し、通信部２４が比較結果情報を端末装置４に送信する構成としてもよい。
【００２３】
したがって、商品コードが異なる誤った被重量計測物が電子はかり１上に載置されることを防ぐことができる。
【００２４】
また、誤った被重量計測物が電子はかり１上に載置されることを防ぐために、電子はかり１と被重量計測物が一体として使用されるように電子はかり１に被重量計測物を保持する保持部を備えるようにしてもよい。
【符号の説明】
【００２５】
１  電子はかり
２  計測サーバ
３  インターネット
４  端末装置
１１  電子はかりにおける重量センサ
１２  電子はかりにおける載置センサ
１３  電子はかりにおける識別子記憶部
１４  電子はかりにおける無線送信部
１５  電子はかりにおける処理部
２１  計測サーバにおける無線受信部
２２  計測サーバにおける時刻検知部
２３  計測サーバにおける記憶部
２４  計測サーバにおける通信部
２５  計測サーバにおける処理部
【図１】
2010231454.tif 000003
【図２】
2010231454.tif 000004
【図３】
2010231454.tif 000005
【図４】
2010231454.tif 000006
【図５】
2010231454.tif 000007
【図６】
2010231454.tif 000008
【図７】
2010231454.tif 000009
【図８】
2010231454.tif 000010